(57)【特許請求の範囲】
【請求項１】
内側に家庭用薄葉紙を収納するとともに、収納された前記家庭用薄葉紙を外側に取り出す取出部を具備する容器本体と、前記容器本体に前記取出部を開閉するように取り付けられた蓋体とを備える家庭用薄葉紙収納容器であって、
前記取出部は、
前記容器本体の内部と連通するように開口し、前記家庭用薄葉紙の取り出し方向と交差する方向に長尺であって、略円弧形状を呈するスリット部と、前記スリット部を挟んで対向する長辺部分において、前記容器本体から外部に向けて立設された一対の立設部と、を備え、
前記蓋体が前記容器本体に対して回動可能に設けられ、
前記スリット部は、前記蓋体の取付部から離間する方向に向けて凸となるように略円弧形状を呈し、
前記一対の立設部における、一方の立設部は他方の立設部より高く形成されていることを特徴とする家庭用薄葉紙収納容器。
【請求項２】
前記スリット部は、前記取出部における中央からずれた位置に設けられており、そのスリット部は、取出部の中央側に向けて凸となるように略円弧形状を呈していることを特徴とする請求項１に記載の家庭用薄葉紙収納容器。
【発明の詳細な説明】
【技術分野】
【０００１】
本発明は、ウェットシートやウェットティッシュ等の家庭用薄葉紙を収納する家庭用薄葉紙収納容器に関する。
【背景技術】
【０００２】
従来、家屋の床やトイレ、或いは人体などを拭くための家庭用薄葉紙を収納する家庭用薄葉紙収納容器が知られている。
そして、長さ方向に一定間隔をおいてミシン目が施されている家庭用薄葉紙を家庭用薄葉紙収納容器から取り出すための取出口として、ミシン目を切断分離せずに家庭用薄葉紙を容器から引き出すことができ、更に容器から引き出した家庭用薄葉紙のミシン目を切断分離せしめるのに必要な抵抗を与え得る引出穴が形成されているゴム製の山高帽子状部材が設けられている容器が知られている（例えば、特許文献１参照。）。
【特許文献１】実開平５−３４１７７号公報
【発明の開示】
【発明が解決しようとする課題】
【０００３】
しかしながら、上記特許文献１の場合、家庭用薄葉紙収納容器に、新たな家庭用薄葉紙を装填した際などに、その家庭用薄葉紙の１枚目に当たる端部を小さな引出穴に通し難いために、家庭用薄葉紙の詰め替え作業が煩わしいものとなることがあるという問題があった。
また、引出穴を大きくすると、家庭用薄葉紙の１枚目の端部を通しやすくなるので、家庭用薄葉紙の詰め替えをし易くなるが、容器から引き出した家庭用薄葉紙に付与される抵抗力が低下してしまうため、その引き出した家庭用薄葉紙をミシン目で切り離し難くなってしまい、家庭用薄葉紙を取り出しにくくなることがあるという問題があった。
【０００４】
本発明の目的は、家庭用薄葉紙の取り出しが容易な家庭用薄葉紙収納容器を提供することである。
【課題を解決するための手段】
【０００７】
以上の課題を解決するため、請求項１に記載の発明は、内側に家庭用薄葉紙を収納するとともに、収納された前記家庭用薄葉紙を外側に取り出す取出部を具備する容器本体と、前記容器本体に前記取出部を開閉するように取り付けられた蓋体とを備える家庭用薄葉紙収納容器であって、前記取出部は、前記容器本体の内部と連通するように開口し、前記家庭用薄葉紙の取り出し方向と交差する方向に長尺であって、略円弧形状を呈するスリット部と、前記スリット部を挟んで対向する長辺部分において、前記容器本体から外部に向けて立設された一対の立設部と、を備え、前記蓋体が前記容器本体に対して回動可能に設けられ、前記スリット部は、前記蓋体の取付部から離間する方向に向けて凸となるように略円弧形状を呈し、前記一対の立設部における、一方の立設部は他方の立設部より高く形成されていることを特徴とする。
【０００８】
請求項２に記載の発明は、請求項１に記載の家庭用薄葉紙収納容器において、
前記スリット部は、前記取出部における中央からずれた位置に設けられており、そのスリット部は、取出部の中央側に向けて凸となるように略円弧形状を呈していることを特徴とする。
【発明の効果】
【００１２】
本発明によれば、家庭用薄葉紙収納容器は、容器の内部と連通するように開口し、家庭用薄葉紙の取り出し方向と交差する方向に長尺であって、略円弧形状を呈するスリット部を有する取出部を備えているので、そのスリット部から家庭用薄葉紙を引き出すことによって、略円弧形状を呈するスリット部にならって広げられた状態で家庭用薄葉紙を家庭用薄葉紙収納容器から好適に取り出すことができる。
特に、家庭用薄葉紙の取り出し方向である、例えば、容器の前方に向かって凸となるように円弧形状を呈しているスリット部の形状に誘導されるように、ユーザは、その家庭用薄葉紙を容器から引き出しやすくなっている。つまり、この家庭用薄葉紙収納容器は、家庭用薄葉紙を取出部から好適に取り出しやすい方向に誘導されて、家庭用薄葉紙を容器から引き出して、取り出すことができる。
従って、この家庭用薄葉紙収納容器は、家庭用薄葉紙の取り出しが容易な家庭用薄葉紙収納容器として使用することができる。
【発明を実施するための最良の形態】
【００１３】
以下、図を参照して、本発明に係る家庭用薄葉紙収納容器の具体的な態様を詳細に説明する。ただし、発明の範囲は、図示例に限定されない。
【００１４】
［実施形態１］
図１は、本発明を適用した好適な実施形態１として例示する家庭用薄葉紙収納容器１００を正面上方から見た斜視図であり、図２は、実施形態１の家庭用薄葉紙収納容器１００における取出部１１０を示す斜視図であり、図３は、図２におけるＡ−Ａ断面を含む容器本体１０１上部の横断面図であり、図４、図５及び図６は、実施形態１における取出部１１０から家庭用薄葉紙Ｐを取り出す際の取り出し動作を示す説明図である。
【００１５】
本実施形態に係る家庭用薄葉紙収納容器１００は、図１〜図６に示すように、例えば、内側にロール状の家庭用薄葉紙Ｐ（例えば、ロール状に巻かれたウェットシートやウェットティッシュ等のロールペーパー）を収納するとともに、収納された家庭用薄葉紙Ｐを外側に取り出す取出部１１０を具備する容器本体１０１と、この容器本体１０１に取出部１１０を開閉するように取り付けられた蓋体としての小蓋１２０とを備えて構成されている。
この家庭用薄葉紙収納容器１００に収納するロール状に巻かれた家庭用薄葉紙Ｐには、長さ方向に一定間隔をおいてミシン目Ｐ１が施されており、そのミシン目に沿って切り離したサイズの家庭用薄葉紙Ｐを、ユーザが使用するようになっている。
なお、以下の説明では、家庭用薄葉紙収納容器１００の前後方向をＸ軸方向として、小蓋１２０が容器本体１０１（蓋１０３）に支持されている側を後側とし、その反対側を手前側とする。さらに、正面視にて左右方向（幅方向）をＹ軸方向とし、上下方向をＺ軸方向とする。
【００１６】
容器本体１０１は、容器本体１０１の下部をなす有底円筒形状のボトル１０２と、容器本体１０１の上部をなす蓋１０３とから構成されている。
【００１７】
ボトル１０２の上端には開口部１０２ａが設けられており（図４、図５参照）、このボトル１０２の上端部の外周面には、周方向に沿って雄ネジ部１０２ｂが設けられている（図４、図５参照）。なお、図１、図４、図５では、ボトル１０２の下部（底部）の図示を省略して記載している。
本実施形態におけるボトル１０２は、例えば、ＰＥ（ポリエチレン）やＰＰ（ポリプロピレン）、或いはＰＥＴ、ＡＢＳ樹脂等から形成されている。
【００１８】
蓋１０３は、天面部１０３ａを有するとともに下端部が開放された円筒形状をなし、開放された下端部の内周面にはボトル１０２の雄ネジ部１０２ｂと螺合する雌ネジ部１０３ｂが設けられている。
本実施形態における蓋１０３は、例えば、ＰＥ（ポリエチレン）やＰＰ（ポリプロピレン）等、可撓性を有する樹脂から形成されている。
【００１９】
そして、容器本体１０１は、ボトル１０２と蓋１０３とが雄ネジ部１０２ｂと雌ネジ部１０３ｂを介した脱着自在な連結構造をとり、ボトル１０２に対して蓋１０３を開閉自在としているので、ボトル１０２から蓋１０３を取り外した状態で、ボトル１０２の内部に家庭用薄葉紙Ｐを収納したり、内部から家庭用薄葉紙Ｐを取り出したりすることができるようになっている。なお、本実施形態では、家庭用薄葉紙Ｐが、上下方向（Ｚ軸方向）に沿った軸心にロール状に巻かれた状態で容器本体１０１に収納されるようになっている。
【００２０】
また、容器本体１０１の一部を成す蓋１０３の天面部１０３ａには、容器本体１０１の内部に収納された家庭用薄葉紙Ｐを容器本体１０１の外側に引き出すための開口である取出部１１０と、その天面部１０３ａに回動可能に取り付けられて取出部１１０を開閉する小蓋１２０とが設けられている。
なお、取出部１１０は、小蓋１２０より前後方向（Ｘ軸方向）手前側に設けられている。つまり、小蓋１２０は、蓋１０３の天面部１０３ａにおいて、取出部１１０の後方の取付部に回動可能に取り付けられており、その小蓋１２０は、取出部１１０に後方から覆い被さるようになっている。
【００２１】
取出部１１０は、例えば、図１〜図３に示すように、蓋１０３の天面部１０３ａのほぼ中央部に形成された凹部１０４内に設けられている。
この取出部１１０は、その周囲に形成された、円筒環状の突起部１０５を有している。
【００２２】
そして、取出部１１０は、容器本体１０１の内部と連通するように開口し、家庭用薄葉紙Ｐの取り出し方向と交差する方向に長尺なスリット部１１１と、スリット部１１１を挟んで対向する長辺部分において、容器本体１０１（蓋１０３）から外部に向けて立設された一対の立設部１１２、１１４とを備えている。
特に、一対の立設部１１２、１１４は、取出部１１０の突起部１０５環内における後方半分側の領域に設けられており、一対の立設部１１２、１１４に挟まれたスリット部１１１も取出部１１０（突起部１０５）における後方にずれた位置に設けられている。
【００２３】
スリット部１１１は、左右方向に対して長尺な略円弧形状を呈する開口であって、Ｘ軸方向の後方から前方に向かって凸となる向きに形成されている。
つまり、スリット部１１１は、取出部１１０の突起部１０５内における中央から外側（具体的には、Ｘ軸方向後方）にずれた位置に設けられており、そのスリット部１１１は、取出部１１０（突起部１０５）の中央側に向けて凸となるように略円弧形状を呈している。
また、換言すれば、スリット部１１１は、容器本体１０１の蓋１０３に取り付けられている小蓋１２０から離間する方向に向けて凸となるように略円弧形状を呈している。
【００２４】
一対の立設部１１２、１１４は、突起部１０５側に近い配置であって小蓋１２０側に位置する第一立設部１１２と、突起部１０５内の中央側に位置する第二立設部１１４とが対をなすように形成されている。
【００２５】
第一立設部１１２は、凹部１０４から斜め上方に立ち上がる傾斜面部１１２ａと、その傾斜面部１１２ａからスリット部１１１側へ延出する平面部１１２ｂとを有している。そして、第一立設部１１２は、スリット部１１１側の端面（平面部１１２ｂの端面）が凸状の円弧形状をなしており、第一立設部１１２の平面部１１２ｂの端面側に、スリット部１１１に沿い容器本体１０１の内部に向けて延在する第一縁部１１３が形成されている。
第二立設部１１４は、凹部１０４から略真上に立ち上がる壁面部１１４ａと、その壁面部１１４ａからスリット部１１１側へ張り出す張出部１１４ｂとを有している。そして、第二立設部１１４は、スリット部１１１側の端面（張出部１１４ｂの端面）が凹状の円弧形状をなしており、第二立設部１１４の張出部１１４ｂの端面側に、スリット部１１１に沿い容器本体１０１の内部に向けて延在する第二縁部１１５が形成されている。
【００２６】
このように、第一立設部１１２と第二立設部１１４は、スリット部１１１を挟んで立設され、更にその端面が内側に折り返されたような形状の縁部１１３、１１５を有する立体構造をとるので、突起部１０５の内側における他の部分に比べて外力の作用により変形し難くなっている。
つまり、第一立設部１１２と第二立設部１１４は、スリット部１１１の周囲の変形を低減するように強度を高めることができるので、第一立設部１１２と第二立設部１１４を、スリット部１１１の周囲の強度を高める剛性部とすることができる。
【００２７】
また、一対の立設部１１２、１１４における、一方の第一立設部１１２は、他方の第二立設部１１４よりも高く形成されており、第一立設部１１２と第二立設部１１４の間には段差が生じている。
具体的には、小蓋１２０側に位置する第一立設部１１２の方が、突起部１０５内の中央側に位置する第二立設部１１４よりも高く形成されており、突起部１０５内における手前側の第二立設部１１４の方が、その後方の第一立設部１１２よりも低くなっている。
【００２８】
小蓋１２０は、例えば、蓋１０３の天面部１０３ａにＹ軸方向に沿って配された図示しない回動軸により軸支され、その天面部１０３ａに対して回動可能に配設されており、閉蓋状態（図４参照）と開蓋状態（図５参照）とに切り替えられるようになっている。
この小蓋１２０は、閉蓋状態（図４参照）と開蓋状態（図５参照）のそれぞれの配置において、それぞれ安定した状態に配されるように、例えば、可動範囲内における所定の回動角度（例えば、図３参照）よりも取出部１１０に接近された際には閉蓋状態となるように付勢され、また、上記所定の回動角度よりも取出部１１０から離間された際には開蓋状態となるように付勢されている。
【００２９】
なお、小蓋１２０は、天面部１０３ａに回動軸によって軸支されていることに限らず、例えば、蓋１０３と一体に成形されたものであってもよく、その蓋１０３の天面部１０３ａに対して、その天面部１０３ａの厚さをＹ軸方向に沿って一部薄くなる折り目を形成することにより、Ｙ軸方向に沿った折り目を軸線に折曲されるキャップとすることで、その折り目を軸心とするように回動可能にし、取出部１１０を開閉する構成としてもよい。
【００３０】
また、小蓋１２０の下面には、例えば、図４に示すように、取出部１１０を閉蓋状態とした際に突起部１０５と嵌合する嵌合部１２１が設けられている。
この嵌合部１２１は、小蓋１２０の下面から円筒環状に突設されており、取出部１１０を小蓋１２０で閉蓋する際に、取出部１１０の突起部１０５の外周が、その嵌合部１２１の内周と密接するように内挿されるようになっている。
【００３１】
ここで、実施形態１に係る家庭用薄葉紙収納容器１００の作用について説明する。
【００３２】
家庭用薄葉紙収納容器１００に家庭用薄葉紙Ｐを詰め替える場合、まず、家庭用薄葉紙Ｐを、ボトル１０２の開口部１０２ａからその内部に収納する。
そして、１枚目の家庭用薄葉紙Ｐとなるロールペーパーの一端部を、蓋１０３の内側から外側に向かうように取出部１１０のスリット部１１１に挿入して通す。
その際、家庭用薄葉紙Ｐの一端部となるシート状部分を挿通させるスリット部１１１が左右方向に長尺な開口として形成されていることにより、家庭用薄葉紙Ｐの一端部をスリット部１１１に通しやすくなっている。また、取出部１１０におけるスリット部１１１を挟んだ第一立設部１１２と第二立設部１１４の間には段差があるため、スリット部１１１には前後方向の隙間に加えて上下方向にも隙間があるので、家庭用薄葉紙Ｐの一端部をより通しやすくなっている。特に、第一立設部１１２の平面部１１２ｂを、ユーザが指で上方外側に撓ませるようにして、一時的にスリット部１１１の開口（隙間）を広げるようにすれば、家庭用薄葉紙Ｐをより一層通しやすくなる。なお、第一立設部１１２の平面部１１２ｂは可撓性を有する樹脂（例えば、ＰＥやＰＰ等）からなるので、一時的に隙間が広げられたスリット部１１１の開口を元の形状、大きさに戻すように復元するようになっている。
そして、取出部１１０のスリット部１１１に家庭用薄葉紙Ｐを挿通させた蓋１０３をボトル１０２に取り付けて（図５参照）、取出部１１０を小蓋１２０で閉じることで（図４参照）、家庭用薄葉紙Ｐの詰め替えが完了する。
【００３３】
次に、家庭用薄葉紙収納容器１００から家庭用薄葉紙Ｐを引き出して取り出す場合、まず、図４に示す、閉蓋された状態の家庭用薄葉紙収納容器１００の小蓋１２０を開け、図５に示すように、家庭用薄葉紙収納容器１００が開蓋された状態にする。
この開蓋された家庭用薄葉紙収納容器１００において、図５に示すように、家庭用薄葉紙Ｐの端部が、取出部１１０のスリット部１１１から上方に僅かに突出した状態で保持されている。特に、取出部１１０のスリット部１１１を挟む一対の立設部１１２、１１４における、手前側の第二立設部１１４の方が後側の第一立設部１１２よりも低くなっているために、スリット部１１１から突出した家庭用薄葉紙Ｐの端部は、低い第二立設部１１４側に向かって倒れやすく、図５に示すように、家庭用薄葉紙収納容器１００の前方である手前側に向かって傾いた状態で保持されている。
そして、そのスリット部１１１から突出している家庭用薄葉紙Ｐを、ユーザが摘んで容器本体１０１内から引き上げると、図６に示すように、家庭用薄葉紙Ｐが長尺のスリット部１１１にならって広げられた状態で家庭用薄葉紙収納容器１００から引き出される。
【００３４】
このスリット部１１１は、家庭用薄葉紙収納容器１００の前方に向かって凸となるように円弧形状を呈しており（図１参照）、その凸状の形状が家庭用薄葉紙Ｐの引き出し方向が容器の前後方向手前側であることを示唆しているようになっている。特に、スリット部１１１は、取出部１１０の突起部１０５内における中央から後方にずれた位置に設けられており、そのスリット部１１１は、取出部１１０（突起部１０５）の中央側に向けて凸となるように円弧形状を呈しているので、スリット部１１１から突出している家庭用薄葉紙Ｐを取出部１１０（突起部１０５）の中央側に引くようにして、スリット部１１１から手前側に引き出すように、その家庭用薄葉紙Ｐの引き出し方向を一層示唆しているようになっている。なお、スリット部１１１（取出部１１０）の後方には小蓋１２０が配設されており、スリット部１１１は、その小蓋１２０から離間する方向に向けて凸となるように円弧形状を呈しているので、スリット部１１１から突出している家庭用薄葉紙Ｐを、スリット部１１１から後方ではなく手前側に引き出すように、その家庭用薄葉紙Ｐの引き出し方向をより一層示唆しているようになっている。
更に、このスリット部１１１から突出した家庭用薄葉紙Ｐは、家庭用薄葉紙収納容器１００の前方に向かって傾いた状態で保持されており（図５参照）、その家庭用薄葉紙Ｐの引き出し方向が容器の前方、手前側であることを示唆しているようになっている。
このように、ユーザは、家庭用薄葉紙Ｐを容器の前後方向手前側に引き出すように誘導されやすくなっている。
そして、取出部１１０における一対の立設部の手前側の第二立設部１１４の方が低くなる段差があるために、スリット部１１１には前後方向の隙間に加えて上下方向にも隙間があるので、家庭用薄葉紙Ｐは容器の手前側に引き出されやすくなっている
つまり、家庭用薄葉紙収納容器１００の取出部１１０は、ユーザが、家庭用薄葉紙Ｐを容器の手前側に引いて、その家庭用薄葉紙Ｐを容器本体１０１内から引き上げるように引き出しやすくなっている。
また、スリット部１１１は、家庭用薄葉紙Ｐの取り出し方向となる容器の前方の手前側に向かって凸となるように円弧形状を呈しているので、家庭用薄葉紙Ｐはスリット部１１１から好適に広がった状態で引き出されやすくなっている。
【００３５】
このとき、家庭用薄葉紙Ｐは、第一立設部１１２と第二立設部１１４の間を擦れながらスリット部１１１から引き出されることとなる。特に、一対の第一立設部１１２と第二立設部１１４が、スリット部１１１の周囲の強度を高める剛性部として機能することによって、家庭用薄葉紙Ｐに摩擦力が作用する。なお、スリット部１１１に沿い容器本体１０１の内部に向けて延在する第一縁部１１３と第二縁部１１５は、家庭用薄葉紙Ｐが引き出される方向に逆らう向きに延在しているため、その家庭用薄葉紙Ｐに摩擦力がより一層作用することとなる。この摩擦力は、引き出される家庭用薄葉紙Ｐを下方側（容器内）に向けて引き戻そうとする力となって作用するので、スリット部１１１から引き出し中の家庭用薄葉紙Ｐと次の家庭用薄葉紙Ｐとの継ぎ目であるミシン目Ｐ１の部分まで引き出された際に、そのミシン目Ｐ１に沿って家庭用薄葉紙Ｐが切り離されることとなる。このミシン目Ｐ１で切り離されて、家庭用薄葉紙収納容器１００から取り出された家庭用薄葉紙Ｐを、ユーザが使用可能とする。
そして、ミシン目Ｐ１で切り離された次の家庭用薄葉紙Ｐの上端部がスリット部１１１に保持される。ここでも、家庭用薄葉紙Ｐの端部は低い第二立設部１１４側に向かって倒れやすく、図５に示すように、家庭用薄葉紙収納容器１００の前方である手前側に向かって傾いた状態で保持されている。
そして、図４に示すように、取出部１１０を小蓋１２０で閉じることで、家庭用薄葉紙収納容器１００内に収納される家庭用薄葉紙Ｐであるウェットタイプのロールペーパーが乾燥してしまうことを防ぐことができる。
【００３６】
次に、本発明に係る家庭用薄葉紙収納容器１００から家庭用薄葉紙Ｐを引き出す際の取り出しやすさについて、従来の家庭用薄葉紙収納容器２００と比較した試験について説明する。
【００３７】
実施形態１における家庭用薄葉紙収納容器１００の取出部１１０の材質はポリエチレン製であって、円弧形状を呈するスリット部１１１のサイズは、曲率Ｒ１４．４ｍｍ、長さ（弧）２０．１ｍｍ、幅０．８ｍｍである。
これに対し、図７に示す、従来の家庭用薄葉紙収納容器２００の取出部２１０の材質はポリエチレン製であって、その取出部２１０の開口２２０は、直径２．５ｍｍの細孔２２０ａと、前後方向と左右方向にそれぞれ沿った長さ９．０ｍｍ、幅０．３ｍｍの２本のスリット２２０ｂとからなる。
【００３８】
そして、本発明に係る家庭用薄葉紙収納容器１００の取出部１１０のスリット部１１１から家庭用薄葉紙Ｐを引き出す際の荷重（Ｎ）と、従来の家庭用薄葉紙収納容器２００の取出部２１０の開口２２０から家庭用薄葉紙Ｐを引き出す際の荷重（Ｎ）を、引張り試験機（オリエンテック株式会社製、TENSILON RTC-1210A）によって、それぞれ測定して比較した。
なお、この試験で用いた家庭用薄葉紙Ｐは、スパンレース不織布（繊維組成：レーヨン／ＰＥＴ／ＰＥ・ＰＰ＝６０／２０／２０、大和紡績株式会社製）であって、１枚あたり長さ（ミシン目ピッチ）２００ｍｍ×幅１４０ｍｍのサイズを有するものである。
【００３９】
この家庭用薄葉紙Ｐを引き出す際の荷重の測定方法としては、まず、引張り試験機の下チャック部に家庭用薄葉紙収納容器（１００、２００）が動かないように固定する。
次いで、スリット部１１１又は開口２２０から家庭用薄葉紙Ｐを２０ｍｍ引き出して、その家庭用薄葉紙Ｐの端部を試験機の上チャック部に挟持させる。
次いで、上チャック部を上昇させるようにして、速度１０００ｍｍ／ｍｉｎで、長さ２００ｍｍの家庭用薄葉紙Ｐを容器の内部から引き出して取り出す。この家庭用薄葉紙Ｐを引き出す際の荷重変化を測定する。
なお、この試験において、家庭用薄葉紙Ｐを容器の内部から容器の手前側斜め上方向に引き出すようにして、荷重変化を測定した。
【００４０】
この荷重変化の測定を複数回（例えば、５回ずつ）行って得られた平均値を、図８に示す。
図８のグラフに示すように、従来の家庭用薄葉紙収納容器２００の場合、引き出し長さ１０ｍｍにおいて８．５５（Ｎ）、５０ｍｍにおいて７．３５（Ｎ）、１００ｍｍにおいて６．５（Ｎ）、１５０ｍｍにおいて５．４４（Ｎ）、１８０ｍｍにおいて４．１４（Ｎ）の荷重が測定された。
それに対し、実施形態１の家庭用薄葉紙収納容器１００の場合、引き出し長さ１０ｍｍにおいて４．５８（Ｎ）、５０ｍｍにおいて４．１８（Ｎ）、１００ｍｍにおいて４．１６（Ｎ）、１５０ｍｍにおいて４．３８（Ｎ）、１８０ｍｍにおいて３．６（Ｎ）の荷重が測定された。
このように、実施形態１の家庭用薄葉紙収納容器１００の方が、従来の家庭用薄葉紙収納容器２００より軽い力で家庭用薄葉紙Ｐを容器の内部から引き出すことができ、取り出しやすくなっている。
【００４１】
以上のように、実施形態１の家庭用薄葉紙収納容器１００は、スリット部１１１と、そのスリット部１１１を挟む一対の立設部１１２、１１４を有する取出部１１０を備えており、そのスリット部１１１は、長尺な円弧形状を呈する細長い開口となっているので、詰め替え用の家庭用薄葉紙Ｐの端部を、スリット部１１１を通じて取出部１１０の内側から外側に向かって通しやすく、家庭用薄葉紙Ｐの詰め替え作業を容易に行うことが可能になっている。
そして、一対の立設部１１２、１１４は、スリット部１１１の周囲の強度を高める剛性部として機能し、スリット部１１１を通じて引き出される家庭用薄葉紙Ｐに摩擦力を付与することができるので、スリット部１１１から引き出し中の家庭用薄葉紙Ｐと、次の家庭用薄葉紙Ｐとが、その摩擦力の作用で薄葉紙の継ぎ目のミシン目Ｐ１に沿って切り離されることによって、家庭用薄葉紙収納容器１００から必要以上の家庭用薄葉紙Ｐが引き出されてしまわないようになっており、所定の長さ（サイズ）の家庭用薄葉紙Ｐを容易に取り出すことが可能になっている。
【００４２】
特に、この家庭用薄葉紙収納容器１００の取出部１１０の一対の立設部１１２、１１４において、その立設部間に段差が生じるように、手前側の第二立設部１１４が第一立設部１１２よりも低く形成されており、スリット部１１１には前後方向の隙間に加えて上下方向にも隙間が生じているので、家庭用薄葉紙Ｐを取出部１１０から上方に引き出すことに加えて、前後方向手前側に引き出しやすくなっている。つまり、家庭用薄葉紙Ｐを取出部１１０から、左右方向（Ｙ軸方向）に長尺なスリット部１１１と交差する方向である上方（Ｚ軸方向）や前方（Ｘ軸方向）に引き出しやすくなっている。
また、取出部１１０のスリット部１１１から突出した家庭用薄葉紙Ｐの端部は、低い第二立設部１１４側に向かって倒れ、手前側に向かって傾いた状態で取出部１１０に保持されているので、ユーザが、その家庭用薄葉紙Ｐの端部を容器の手前側に引き出しやすくなっている。更に、容器の前方に向かって凸となるように円弧形状を呈しているスリット部１１１の形状に誘導されるように、ユーザが、その家庭用薄葉紙Ｐの端部を容器の手前側に引き出しやすくなっている。
このように、この家庭用薄葉紙収納容器１００は、家庭用薄葉紙Ｐを取出部１１０から好適に取り出しやすい方向である、容器の手前側に引き出しやすくなっている。
従って、取出部１１０を備える実施形態１の家庭用薄葉紙収納容器１００は、家庭用薄葉紙Ｐの取り出しが容易な家庭用薄葉紙収納容器として使用することができる。
【００４３】
［実施形態２］
次に、本発明に係る家庭用薄葉紙収納容器の実施形態２について説明する。なお、実施形態１と同一部分には同一符号を付し、異なる部分についてのみ説明する。
【００４４】
図９、図１０に示すように、家庭用薄葉紙収納容器１００の蓋１０３の天面部１０３ａには、容器本体１０１の内部に収納された家庭用薄葉紙Ｐを容器本体１０１の外側に引き出すための開口である取出部１３０と、その天面部１０３ａに回動可能に取り付けられて取出部１３０を開閉する小蓋１２０とが設けられている。
【００４５】
取出部１３０は、容器本体１０１の内部と連通するように開口し、家庭用薄葉紙Ｐの取り出し方向と交差する方向に長尺なスリット部１３１と、スリット部１３１を挟んで対向する長辺部分において、容器本体１０１（蓋１０３）から外部に向けて立設された一対の立設部１３２、１３４と、突起部１０５とを備えている。
【００４６】
スリット部１３１は、左右方向に対して長尺な略円弧形状を呈する開口であって、Ｘ軸方向の後方から前方に向かって凸となる向きに形成されている。
つまり、スリット部１３１は、取出部１３０の突起部１０５内における中央から外側にずれた位置に設けられており、そのスリット部１３１は、取出部１３０（突起部１０５）の中央側に向けて凸となるように略円弧形状を呈している。
また、換言すれば、スリット部１３１は、容器本体１０１の蓋１０３に設けられている小蓋１２０から離間する方向に向けて凸となるように略円弧形状を呈している。
【００４７】
一対の立設部１３２、１３４は、突起部１０５側に近い配置であって小蓋１２０側に位置する第一立設部１３２と、突起部１０５内の中央側に位置する第二立設部１３４とが対をなすように形成されている。
【００４８】
第一立設部１３２は、凹部１０４から斜め上方に立ち上がる傾斜面部１３２ａと、その傾斜面部１３２ａからスリット部１３１側へ延出する平面部１３２ｂとを有している。そして、第一立設部１３２は、スリット部１３１側の端面（平面部１３２ｂの端面）が凸状の円弧形状をなしており、第一立設部１３２の平面部１３２ｂの端面側に、スリット部１３１に向けて厚みを増す縁部１３３が形成されている。なお、この縁部１３３は、スリット部１３１に向けて徐々に厚みを増す下面部１３３ａと、スリット部１３１に沿い上方に盛り上がった形状の上面部１３３ｂとを有している。
第二立設部１３４は、凹部１０４から略真上に立ち上がる壁面部１３４ａと、その壁面部１３４ａからスリット部１３１側へ張り出す張出部１３４ｂとを有している。そして、第二立設部１３４は、スリット部１３１側の端面（張出部１３４ｂの端面）が凹状の円弧形状をなしている。
【００４９】
そして、第一立設部１３２と第二立設部１３４は、スリット部１３１を挟んで立設された立体構造をとるので、突起部１０５の内側における他の部分に比べて外力の作用により変形し難くなっている。
つまり、第一立設部１３２と第二立設部１３４は、スリット部１３１の周囲の変形を低減するように強度を高めることができるので、第一立設部１３２と第二立設部１３４を、スリット部１３１の周囲の強度を高める剛性部とすることができる。
【００５０】
また、一対の立設部１３２、１３４における、一方の第一立設部１３２は、他方の第二立設部１３４よりも高く形成されており、第一立設部１３２と第二立設部１３４の間には段差が生じている。具体的には、小蓋１２０側に位置する第一立設部１３２の方が、突起部１０５内の中央側に位置する第二立設部１３４よりも高く形成されており、突起部１０５内における手前側の第二立設部１３４の方が、その後方の第一立設部１３２よりも低くなっている。
【００５１】
このような取出部１３０を備える実施形態２の家庭用薄葉紙収納容器であっても、詰め替え用の家庭用薄葉紙Ｐの端部を、スリット部１３１を通じて取出部１３０の内側から外側に向かって通しやすく、家庭用薄葉紙Ｐの詰め替え作業を容易に行うことが可能になっている。また、一対の立設部１３２、１３４間のスリット部１３１から引き出し中の家庭用薄葉紙Ｐと、次の家庭用薄葉紙Ｐとが、その継ぎ目のミシン目Ｐ１に沿って摩擦力の作用で切り離されることによって、所定の長さ（サイズ）の家庭用薄葉紙Ｐを容易に取り出すことが可能になっている。
特に、家庭用薄葉紙収納容器１００の取出部１３０の一対の立設部１３２、１３４間には、手前側の第二立設部１３４の方が低い段差が形成されており、スリット部１３１には前後方向の隙間に加えて上下方向にも隙間が生じているので、家庭用薄葉紙Ｐを取出部１３０から上方に引き出すことに加えて前後方向手前側に引き出して、その家庭用薄葉紙Ｐを取り出しやすくなっている。更に、取出部１３０のスリット部１３１から突出した家庭用薄葉紙Ｐの端部が、容器の手前側に向かって傾いた状態で取出部１３０に保持されていることと、容器の前方手前側に向かって凸となるように円弧形状を呈しているスリット部１３１の形状とに誘導されるように、ユーザは、その家庭用薄葉紙Ｐの端部を容器の手前側に引き出しやすくなっている。
このように、取出部１３０を備える実施形態２の家庭用薄葉紙収納容器１００は、家庭用薄葉紙Ｐの取り出しが容易な家庭用薄葉紙収納容器として使用することができる。
【００５２】
［実施形態３］
次に、本発明に係る家庭用薄葉紙収納容器の実施形態３について説明する。なお、実施形態１と同一部分には同一符号を付し、異なる部分についてのみ説明する。
【００５３】
図１１、図１２に示すように、家庭用薄葉紙収納容器１００の蓋１０３の天面部１０３ａには、容器本体１０１の内部に収納された家庭用薄葉紙Ｐを容器本体１０１の外側に引き出すための開口である取出部１５０と、その天面部１０３ａに回動可能に取り付けられて取出部１５０を開閉する小蓋１２０とが設けられている。
【００５４】
取出部１５０は、容器本体１０１の内部と連通するように開口し、家庭用薄葉紙Ｐの取り出し方向と交差する方向に長尺なスリット部１５１と、そのスリット部１５１が形成されている立設台部１５５と、突起部１０５とを備えている。立設台部１５５は、略円錐台形状を呈しており、天面部１０３ａにおける突起部１０５の環内で小蓋１２０側に寄った位置に設けられている。
【００５５】
スリット部１５１は、立設台部１５５の傾斜面であって、突起部１０５環内における中央側の円錐状傾斜面（前傾斜面部１５６）に、左右方向に対して長尺な略円弧形状を呈するように形成された開口であって、Ｘ軸方向の後方から前方に向かって凸となる向きに形成されている。
つまり、スリット部１５１は、取出部１５０の突起部１０５内における中央から外側にずれた位置に設けられており、そのスリット部１５１は、取出部１５０（突起部１０５）の中央側に向けて凸となるように略円弧形状を呈している。
また、換言すれば、スリット部１５１は、容器本体１０１の蓋１０３に設けられている小蓋１２０から離間する方向に向けて凸となるように略円弧形状を呈している。
【００５６】
立設台部１５５は、スリット部１５１を挟んで対向する長辺部分において、容器本体１０１（蓋１０３）から立設された一対の立設部１５２、１５４を備えている。
一対の立設部１５２、１５４は、突起部１０５側に近い配置であって小蓋１２０側に位置する第一立設部１５２と、突起部１０５内の中央側に位置する第二立設部１５４とが対をなすように形成されている。
【００５７】
第一立設部１５２は、凹部１０４から斜め上方に前方に傾斜して立ち上がる後傾斜面部１５２ａと、その後傾斜面部１５２ａからスリット部１５１側へ延出する平面部１５２ｂとを有している。そして、第一立設部１５２は、スリット部１５１側の端面（平面部１５２ｂの端面）が凸状の円弧形状をなしており、第一立設部１５２の平面部１５２ｂの端面側に、スリット部１５１に沿い容器本体１０１の下部に向けて延在する縁部１５３が形成されている。
第二立設部１５４は、凹部１０４から斜め上方に立ち上がる形状を有している。この第二立設部１５４は、スリット部１５１側の端面が凹状の円弧形状をなしている。
なお、スリット部１５１は、凹部１０４から斜め上方に後方に傾斜して立ち上がっている前傾斜面部１５６に形成されており、第一立設部１５２の縁部１５３と、第二立設部１５４とは、前傾斜面部１５６の一部を構成するようになっている。
【００５８】
そして、第一立設部１５２と第二立設部１５４は、スリット部１５１を挟んだ立体構造をとるので、突起部１０５の内側における他の部分に比べて外力の作用により変形し難くなっている。
つまり、第一立設部１５２と第二立設部１５４は、スリット部１５１の周囲の変形を低減するように強度を高めることができるので、第一立設部１５２と第二立設部１５４を、スリット部１５１の周囲の強度を高める剛性部とすることができる。
【００５９】
また、一対の立設部１５２、１５４における、一方の第一立設部１５２は、他方の第二立設部１５４よりも高く形成されており、第一立設部１５２と第二立設部１５４の間には段差が生じている。具体的には、小蓋１２０側に位置する第一立設部１５２の方が、突起部１０５内の中央側に位置する第二立設部１５４よりも高く形成されており、突起部１０５内における手前側の第二立設部１５４の方が、その後方の第一立設部１５２よりも低くなっている。
【００６０】
このような取出部１５０を備える実施形態３の家庭用薄葉紙収納容器であっても、詰め替え用の家庭用薄葉紙Ｐの端部を、スリット部１５１を通じて取出部１５０の内側から外側に向かって通しやすく、家庭用薄葉紙Ｐの詰め替え作業を容易に行うことが可能になっている。また、一対の立設部１５２、１５４間のスリット部１５１から引き出し中の家庭用薄葉紙Ｐと、次の家庭用薄葉紙Ｐとが、その継ぎ目のミシン目Ｐ１に沿って摩擦力の作用で切り離されることによって、所定の長さ（サイズ）の家庭用薄葉紙Ｐを容易に取り出すことが可能になっている。
特に、家庭用薄葉紙収納容器１００の取出部１５０の一対の立設部１５２、１５４間には、手前側の第二立設部１５４の方が低い段差が形成されており、スリット部１５１には上下方向に隙間が生じているので、家庭用薄葉紙Ｐを取出部１３０から前後方向手前側に引き出して、その家庭用薄葉紙Ｐを取り出しやすくなっている。更に、取出部１５０のスリット部１５１から突出した家庭用薄葉紙Ｐの端部が、容器の手前側に向かって傾いた状態で取出部１５０に保持されていることと、容器の前方手前側に向かって凸となるように円弧形状を呈しているスリット部１５１の形状とに誘導されるように、ユーザは、その家庭用薄葉紙Ｐの端部を容器の手前側に引き出しやすくなっている。
このように、取出部１５０を備える実施形態３の家庭用薄葉紙収納容器１００は、家庭用薄葉紙Ｐの取り出しが容易な家庭用薄葉紙収納容器として使用することができる。
【００６１】
なお、上記各実施形態においては、家庭用薄葉紙Ｐをロール状とし、その家庭用薄葉紙Ｐが上下方向（Ｚ軸方向）に沿った軸心に巻かれた状態で容器本体１０１に収納されている場合を例に説明したが、本発明はこれに限定されるものではなく、例えば、家庭用薄葉紙Ｐは、前後方向（Ｘ軸方向）や左右方向（Ｙ軸方向）の軸心に巻かれた状態で容器本体１０１に収納されていてもよい。
【００６２】
また、その他、具体的な細部構造等についても適宜に変更可能であることは勿論である。
【図面の簡単な説明】
【００６３】
【図１】本発明を適用した実施形態１として例示する家庭用薄葉紙収納容器を正面上方から見た斜視図である。
【図２】実施形態１の家庭用薄葉紙収納容器における取出部を示す斜視図である。
【図３】図２におけるＡ−Ａ断面を含む容器上部（蓋）の横断面図である。
【図４】実施形態１の取出部における家庭用薄葉紙の挿通状態を示す説明図である。
【図５】実施形態１の取出部における家庭用薄葉紙の挿通状態を示す説明図である。
【図６】実施形態１の取出部における家庭用薄葉紙の挿通状態を示す説明図である。
【図７】従来の家庭用薄葉紙収納容器における取出部を示す斜視図である。
【図８】家庭用薄葉紙を取出部から引き出す際の荷重変化に関する測定結果を示すグラフである。
【図９】実施形態２の家庭用薄葉紙収納容器における取出部を示す斜視図である。
【図１０】図９におけるＢ−Ｂ断面を含む容器上部（蓋）の横断面図である。
【図１１】実施形態３の家庭用薄葉紙収納容器における取出部を示す斜視図である。
【図１２】図１１におけるＣ−Ｃ断面を含む容器上部（蓋）の横断面図である。
【符号の説明】
【００６４】
１００  家庭用薄葉紙収納容器
１０１  容器本体
１０２  ボトル
１０３  蓋
１０５  突起部
１１０  取出部
１１１  スリット部
１１２  第一立設部（立設部）
１１３  第一縁部（縁部）
１１４  第二立設部（立設部）
１１５  第二縁部（縁部）
１２０  小蓋（蓋体）
１３０  取出部
１３１  スリット部
１３２  第一立設部（立設部）
１３３  縁部
１３４  第二立設部（立設部）
１５０  取出部
１５１  スリット部
１５２  第一立設部（立設部）
１５３  縁部
１５４  第二立設部（立設部）
１５５  立設台部
Ｐ      家庭用薄葉紙
Ｐ１    ミシン目
【図１】
0004510063.tif 000002
【図２】
0004510063.tif 000003
【図３】
0004510063.tif 000004
【図４】
0004510063.tif 000005
【図５】
0004510063.tif 000006
【図６】
0004510063.tif 000007
【図７】
0004510063.tif 000008
【図８】
0004510063.tif 000009
【図９】
0004510063.tif 000010
【図１０】
0004510063.tif 000011
【図１１】
0004510063.tif 000012
【図１２】
0004510063.tif 000013